(57)【特許請求の範囲】
【請求項１】
エレベーターのおもり枠の内部において鉛直方向に積み重ねられた複数のおもりブロックのうちの最上段のおもりブロックの上面に配置される本体部と、
前記本体部に連結され、前記本体部が前記最上段のおもりブロックの上面に配置された際に前記最上段のおもりブロックの長手方向に直交する方向の一側に配置される固定把持部と、
前記固定把持部に連結され、前記最上段のおもりブロックの下方に向けて水平方向に突き出した楔状の固定挿入部と、
前記本体部に水平方向に移動自在に連結され、前記本体部が前記最上段のおもりブロックの上面に配置された際に前記最上段のおもりブロックの長手方向に直交する方向の他側に配置される可動把持部と、
前記可動把持部に連結され、前記最上段のおもりブロックに向けて水平方向に突き出した楔状の可動挿入部と、
前記本体部における前記可動把持部の側に設けられ、前記本体部が前記最上段のおもりブロックの上面に配置された状態において前記可動把持部を前記最上段のおもりブロックに近づく方向に移動させることで、前記最上段のおもりブロックの長手方向に直交する方向の一側から前記固定挿入部を前記最上段のおもりブロックの下方に挿入させ、前記最上段のおもりブロックの長手方向に直交する方向の他側から前記可動挿入部を前記最上段のおもりブロックの下方に挿入させることにより、前記最上段のおもりブロックと前記最上段のおもりブロックの直下のおもりブロックとの間に隙間を形成するねじ体と、
を備えたエレベーターのおもりブロック運搬治具。
【請求項２】
前記可動把持部は、前記本体部に設けられた切り欠き部に沿って移動する請求項１に記載のエレベーターのおもりブロック運搬治具。
【請求項３】
前記本体部に設けられた持ち手、
を備えた請求項１または請求項２に記載のエレベーターのおもりブロック運搬治具。
【請求項４】
前記本体部に設けられ、吊りロープが取り付けられるフック部、
を備えた請求項１から請求項３のいずれか１項に記載のエレベーターのおもりブロック運搬治具。
【請求項５】
前記ねじ体は、電動ドライバーの回転軸に接続され得るように設けられ、前記電動ドライバーによりねじ込まれる請求項１から請求項４のいずれか１項に記載のエレベーターのおもりブロック運搬治具。
【請求項６】
エレベーターのおもり枠の内部において鉛直方向に積み重ねられた複数のおもりブロックのうちの最上段のおもりブロックの上面に配置される本体部と、
前記本体部に連結され、前記本体部が前記最上段のおもりブロックの上面に配置された際に前記最上段のおもりブロックの長手方向に直交する方向の一側に配置される固定把持部と、
前記固定把持部に連結され、前記最上段のおもりブロックの下方に向けて水平方向に突き出した楔状の固定挿入部と、
前記本体部に水平方向に移動自在に連結され、前記本体部が前記最上段のおもりブロックの上面に配置された際に前記最上段のおもりブロックの長手方向に直交する方向の他側に配置される可動把持部と、
前記可動把持部に連結され、前記最上段のおもりブロックに向けて水平方向に突き出した楔状の可動挿入部と、
前記本体部における前記可動把持部の側に設けられ、前記本体部が前記最上段のおもりブロックの上面に配置された状態において前記可動把持部を前記最上段のおもりブロックに近づく方向に移動させることで、前記最上段のおもりブロックの長手方向に直交する方向の一側から前記固定挿入部を前記最上段のおもりブロックの下方に挿入させ、前記最上段のおもりブロックの長手方向に直交する方向の他側から前記可動挿入部を前記最上段のおもりブロックの下方に挿入させるねじ体と、
前記可動把持部に対向する前記固定把持部の側面に沿ってテーパー状に形成された固定把持部緩衝体と、
前記固定把持部に対向する前記可動把持部の側面に沿ってテーパー状に形成された可動把持部緩衝体と、
を備えたエレベーターのおもりブロック運搬治具。
【発明の詳細な説明】
【技術分野】
【０００１】
本開示は、エレベーターのおもりブロック運搬治具に関する。
【背景技術】
【０００２】
特許文献１は、エレベーターのおもりブロック運搬治具を開示する。当該おもりブロック運搬治具の挿入部は、エレベーターのおもりブロックの下に挿入される。
【先行技術文献】
【特許文献】
【０００３】
【特許文献１】日本特開２０１９−００６５８９号公報
【発明の概要】
【発明が解決しようとする課題】
【０００４】
しかしながら、特許文献１に記載のおもりブロック運搬治具において、挿入部は、工具により上下方向に繰り返し微小移動させる必要がある。このため、おもりブロックを容易に持ち上げることができない。【０００５】
本開示は、上述の課題を解決するためになされた。この発明の目的は、エレベーターのおもりブロックを容易に持ち上げることができるエレベーターのおもりブロック運搬治具を提供することである。
【課題を解決するための手段】
【０００６】
本開示に係るエレベーターのおもりブロック運搬治具は、エレベーターのおもり枠の内部において鉛直方向に積み重ねられた複数のおもりブロックのうちの最上段のおもりブロックの上面に配置される本体部と、前記本体部に連結され、前記本体部が前記最上段のおもりブロックの上面に配置された際に前記最上段のおもりブロックの長手方向に直交する方向の一側に配置される固定把持部と、前記固定把持部に連結され、前記最上段のおもりブロックの下方に向けて水平方向に突き出した楔状の固定挿入部と、前記本体部に水平方向に移動自在に連結され、前記本体部が前記最上段のおもりブロックの上面に配置された際に前記最上段のおもりブロックの長手方向に直交する方向の他側に配置される可動把持部と、前記可動把持部に連結され、前記最上段のおもりブロックに向けて水平方向に突き出した楔状の可動挿入部と、前記本体部における前記可動把持部の側に設けられ、前記本体部が前記最上段のおもりブロックの上面に配置された状態において前記可動把持部を前記最上段のおもりブロックに近づく方向に移動させることで、前記最上段のおもりブロックの長手方向に直交する方向の一側から前記固定挿入部を前記最上段のおもりブロックの下方に挿入させ、前記最上段のおもりブロックの長手方向に直交する方向の他側から前記可動挿入部を前記最上段のおもりブロックの下方に挿入させることにより、前記最上段のおもりブロックと前記最上段のおもりブロックの直下のおもりブロックとの間に隙間を形成するねじ体と、を備えた。
本開示に係るエレベーターのおもりブロック運搬治具は、エレベーターのおもり枠の内部において鉛直方向に積み重ねられた複数のおもりブロックのうちの最上段のおもりブロックの上面に配置される本体部と、前記本体部に連結され、前記本体部が前記最上段のおもりブロックの上面に配置された際に前記最上段のおもりブロックの長手方向に直交する方向の一側に配置される固定把持部と、前記固定把持部に連結され、前記最上段のおもりブロックの下方に向けて水平方向に突き出した楔状の固定挿入部と、前記本体部に水平方向に移動自在に連結され、前記本体部が前記最上段のおもりブロックの上面に配置された際に前記最上段のおもりブロックの長手方向に直交する方向の他側に配置される可動把持部と、前記可動把持部に連結され、前記最上段のおもりブロックに向けて水平方向に突き出した楔状の可動挿入部と、前記本体部における前記可動把持部の側に設けられ、前記本体部が前記最上段のおもりブロックの上面に配置された状態において前記可動把持部を前記最上段のおもりブロックに近づく方向に移動させることで、前記最上段のおもりブロックの長手方向に直交する方向の一側から前記固定挿入部を前記最上段のおもりブロックの下方に挿入させ、前記最上段のおもりブロックの長手方向に直交する方向の他側から前記可動挿入部を前記最上段のおもりブロックの下方に挿入させるねじ体と、を備えた。
【発明の効果】
【０００７】
本開示によれば、可動把持部がねじ体により最上段のおもりブロックに近づく方向に移動されることで、固定挿入部および可動挿入部がおもりブロックの下方に挿入される。このため、エレベーターのおもりブロックを容易に持ち上げることができる。
【図面の簡単な説明】
【０００８】
【図１】実施の形態１におけるエレベーターのおもりブロック運搬治具が適用されるエレベーターの構成図である。
【図２】実施の形態１におけるエレベーターのおもりブロック運搬治具の正面図である。
【図３】実施の形態１におけるエレベーターのおもりブロック運搬治具の斜視図である。
【図４】実施の形態１におけるエレベーターのおもりブロック運搬治具によるおもりブロックの運搬作業を説明するための図である。
【図５】実施の形態１におけるエレベーターのおもりブロック運搬治具によるおもりブロックの運搬作業を示す図である。
【発明を実施するための形態】
【０００９】
実施の形態について添付の図面に従って説明する。なお、各図中、同一または相当する部分には同一の符号が付される。当該部分の重複説明は適宜に簡略化ないし省略する。
【００１０】
実施の形態１．
図１は実施の形態１におけるエレベーターのおもりブロック運搬治具が適用されるエレベーターの構成図である。
【００１１】
図１のエレベーターにおいて、昇降路１は、建築物の各階を貫く。複数の乗場２は、建築物の各階に設けられる。複数の乗場２の各々は、昇降路１に対向する。複数の乗場２の各々は、乗場扉３を備える。
【００１２】
巻上機４は、昇降路１の上部に設けられる。巻上機４は、綱車５を備える。そらせ車６は、昇降路１の上部に設けられる。
【００１３】
一対のかごガイドレール７は、昇降路１に設けられる。一対のかごガイドレール７の各々は、鉛直方向に延びる。一対のかごガイドレール７は、互いに平行である。一対のかごガイドレール７は、互いに対向する。
【００１４】
一対のおもりガイドレール８は、昇降路１に設けられる。一対のおもりガイドレール８の各々は、鉛直方向に延びる。一対のおもりガイドレール８は、互いに平行である。一対のおもりガイドレール８は、互いに対向する。
【００１５】
主ロープ９は、綱車５とそらせ車６とに巻き掛けられる。
【００１６】
かご１０は、昇降路１の内部において一対のかごガイドレール７に沿って昇降し得るように設けられる。かご１０は、主ロープ９の一側に支持される。かご１０は、かご扉１１を備える。
【００１７】
釣合いおもり１２は、昇降路１の内部において一対のおもりガイドレール８に沿って昇降し得るように設けられる。釣合いおもり１２は、主ロープ９の他側に支持される。釣合いおもり１２は、おもり枠１３と複数のおもりブロック１４とを備える。
【００１８】
かごバッファー１５は、昇降路１の底部に設けられる。かごバッファー１５は、かご１０の下方に設けられる。
【００１９】
おもりバッファー１６は、昇降路１の底部に設けられる。おもりバッファー１６は、釣合いおもり１２の下方に設けられる。
【００２０】
次に、図２と図３とを用いて、おもりブロック運搬治具の構成を説明する。
図２は実施の形態１におけるエレベーターのおもりブロック運搬治具の正面図である。図３は実施の形態１におけるエレベーターのおもりブロック運搬治具の斜視図である。
【００２１】
図２と図３とに示されるように、おもりブロック運搬治具１８は、本体部１９とねじこみボス２０と一対のフック部２１とねじ体２２と持ち手２３と固定把持部２４と固定挿入部２５と可動把持部２６と可動挿入部２７とを備える。
【００２２】
本体部１９は、長手方向と短手方向とを有する平面形状の部材である。例えば、本体部１９は、切り欠き部を有する。切り欠き部は、本体部１９の長手方向に沿って長穴状かつＵ字状に形成される。切り欠き部の開部は、本体部１９の一方の短手側の端部に設けられる。
【００２３】
ねじこみボス２０は、ナット状部材である。ねじこみボス２０は、本体部１９の切り欠き部の開部に隣接して設けられる。例えば、ねじこみボス２０は、本体部１９と一体に形成される。例えば、ねじこみボス２０は、本体部１９の一部をバーリング等で加工することにより形成される。ねじこみボス２０は、開口部を有する。当該開口部は、ねじこみボス２０の中心に円形状に開口する。当該開口部の中心軸は、本体部１９の長手方向と平行となるような方向になるように設けられる。例えば、ねじこみボス２０の開口部の中心軸は、本体部１９の切り欠き部の中心軸と同一である。
【００２４】
例えば、一対のフック部２１の一方は、本体部１９の長手側の一側面に設けられる。例えば、一対のフック部２１の他方は、本体部１９の長手側の他側面に設けられる。例えば、一対のフック部２１のそれぞれは、本体部１９を挟んで対称な位置に設けられる。例えば、一対のフック部２１のそれぞれは、本体部１９を挟んで対称な位置から上下方向にずれて設けられる。例えば、一対のフック部２１のそれぞれは、本体部１９を挟んで対称な位置から左右方向にずれて設けられる。
【００２５】
持ち手２３は、Ｕ字状部材である。例えば、持ち手２３は、本体部１９の上面に設けられる。
【００２６】
固定把持部２４は、平板状に形成される。固定把持部２４は、本体部１９の長手方向に対して垂直下方向に延びる。固定把持部２４の一端部は、本体部１９の他方の短手側端部に連結される。固定把持部２４の一方の端部は、本体部１９に対して直交する。
【００２７】
固定把持部２４は、固定把持部緩衝体２４ａを備える。固定把持部緩衝体２４ａは、弾性材である。例えば、固定把持部緩衝体２４ａはウレタンで形成される。例えば、固定把持部緩衝体２４ａは、ゴムで形成される。固定把持部緩衝体２４ａは、可動把持部２６に対向する固定把持部２４の側面に沿って設けられる。固定把持部緩衝体２４ａは、テーパー状に形成される。具体的には、固定把持部緩衝体２４ａの厚みは、本体部１９に向かって小さくなる。
【００２８】
固定挿入部２５は、楔状に形成される。固定挿入部２５の一端部は、固定把持部２４の他端部に連結される。固定挿入部２５は、固定把持部２４に対して直交する。固定挿入部２５は、本体部１９に対して平行になる。固定挿入部２５の他端部は、本体部１９の一側に近づく方向に延びる。例えば、固定挿入部２５の他端部は、テーパー状に形成される。具体的には、固定挿入部２５の他端部の厚みは、先端に向かって小さくなる。例えば、固定挿入部２５の他端部の上面は、先端に向けて下る。例えば、固定挿入部２５の他端部の下面は、勾配のない水平な面である。例えば、固定挿入部２５の他端部の下面は、先端に向けて上る。
【００２９】
可動把持部２６は、平板状に形成される。可動把持部２６は、本体部１９の長手方向に対して垂直下方向に延びる。可動把持部２６は、本体部１９に対してスライド可能に接続される。例えば、可動把持部２６の上部は、本体部１９の切り欠き部の上方に設けられる。例えば、可動把持部２６の下部は、本体部１９の切り欠き部を貫通する。
【００３０】
可動把持部２６は、可動把持部緩衝体２６ａを備える。可動把持部緩衝体２６ａは、弾性材である。例えば、可動把持部緩衝体２６ａはウレタンで形成される。例えば、可動把持部緩衝体２６ａは、ゴムで形成される。可動把持部緩衝体２６ａは、固定把持部２４に対向する可動把持部２６の側面に沿って設けられる。可動把持部緩衝体２６ａは、テーパー状に形成される。具体的には、可動把持部緩衝体２６ａの厚みは、本体部１９に向かって小さくなる。
【００３１】
可動挿入部２７は、楔状に形成される。可動挿入部２７の一端部は、可動把持部２６の他端部に連結される。可動挿入部２７は、可動把持部２６に対して直交する。可動挿入部２７は、本体部１９に対して平行になる。可動挿入部２７の他端部は、本体部１９の他側に近づく方向に延びる。例えば、可動挿入部２７の他端部は、テーパー状に形成される。具体的には、可動挿入部２７の他端部の厚みは、先端に向かって小さくなる。例えば、可動挿入部２７の他端部の上面は、先端に向けて下る。例えば、可動挿入部２７の他端部の下面は、勾配のない水平な面である。例えば、可動挿入部２７の他端部の下面は、先端に向けて上る。
【００３２】
ねじ体２２は、本体部１９の一側から本体部１９のねじこみボス２０に挿入される。ねじ体２２は、ねじこみボス２０にねじ込まれた際に可動把持部２６に近づく方向に移動し、可動把持部２６の上部に接する。ねじ体２２は、可動把持部２６を固定把持部２４に近づく方向に本体部１９上を移動させる。
【００３３】
例えば、ねじ体２２は、ハンドル部を有する。具体的には、ハンドル部は、棒状に形成される。ハンドル部は、ねじ体２２の他方の端部においてねじ体２２の垂直方向に挿入される。ハンドルが回転されると、ねじ体２２は、ねじこみボス２０にねじ込まれる。その結果、可動把持部２６は、固定把持部２４に近づく方向に本体部１９の長手方向に沿って移動する。
【００３４】
例えば、ねじ体２２の他方の端部には、一般的な電動ドライバーの回転軸部が接続可能である。この場合、電動ドライバーを接続された状態で電動ドライバーの回転軸部が回転されると、ねじ込み部Ｄは、ねじこみボス２０にねじ込まれる。その結果、可動把持部２６は、固定把持部２４に近づく方向に本体部１９の長手方向に沿って移動する。
【００３５】
次に、図４および図５を用いて、おもりブロック１４の運搬作業を説明する。
図４および図５は実施の形態１におけるエレベーターのおもりブロック運搬治具によるおもりブロックの運搬作業を説明するための図である。
【００３６】
図４に示されるように、複数のおもりブロック１４は、おもり枠１３に形成された図示されない一対の溝にそれぞれ案内される。複数のおもりブロック１４は、おもり枠１３の間に鉛直方向に積み重ねられる。最上段のおもりブロック１４において、おもりブロック運搬治具１８は、おもりブロック１４の中心部よりも左右のいずれかの側に寄って取り付けられる。この際、持ち手２３は、作業員に掴まれる。
【００３７】
具体的には、おもりブロック運搬治具１８において、本体部１９は、長手方向が最上段のおもりブロック１４の長手方向に直交するように最上段のおもりブロック１４の上面に配置される。固定把持部２４は、最上段のおもりブロック１４の長手側の一側面に対面するように配置される。可動把持部２６は、最上段のおもりブロック１４の長手側の他側面に対面するように配置される。
【００３８】
この際、固定挿入部２５の先端部は、複数のおもりブロック１４の一方の長手側の側面から最上段のおもりブロック１４の下面とその直下のおもりブロック１４の上面との境界線上に配置される。具体的には、固定挿入部２５の先端部は、最上段のおもりブロック１４の下面とその直下のおもりブロック１４の上面との境界面に最上段のおもりブロックの長手方向に直交する方向から接するように配置される。
【００３９】
次に、可動把持部２６は、本体部１９に長手方向に沿って移動させられる。
【００４０】
この際、可動挿入部２７の先端部は、複数のおもりブロック１４の他方の長手側の側面から最上段のおもりブロック１４の下面とその直下のおもりブロック１４の上面との境界線上に配置される。具体的には、可動挿入部２７の先端部は、最上段のおもりブロック１４の下面とその直下のおもりブロック１４の上面との境界面に最上段のおもりブロックの長手方向に直交する方向から接するように配置される。
【００４１】
その結果、固定把持部２４と可動把持部２６とは、最上段のおもりブロック１４を挟み込むように配置される。
【００４２】
次に、ねじ体２２は、電動ドライバー等によりねじ込まれる。可動把持部２６の上部は、ねじ体２２がねじ込まれる力により、最上段のおもりブロック１４に近づく方向に移動する。可動挿入部２７は、可動把持部２６の移動に追従して、最上段のおもりブロック１４の下面とその直下のおもりブロック１４の上面との境界面に入り込む。同時に、固定挿入部２５は、最上段のおもりブロック１４の下面とその直下のおもりブロック１４の上面との境界面に入り込む。
【００４３】
その結果、最上段のおもりブロック１４とその直下のおもりブロック１４との間において、隙間が形成される。最上段のおもりブロック１４の荷重は、固定挿入部２５と可動挿入部２７とにより支持される。この際、固定把持部２４と可動把持部２６とがそれぞれ最上段のおもりブロック１４に接する位置に配置されると、固定挿入部２５と可動挿入部２７とがそれぞれ負担するおもりブロック１４の荷重が均一化する。
【００４４】
次に、吊りロープ１７は、一対のフック部２１のそれぞれに取り付けられる。
【００４５】
次に、図５に示されるように、吊りロープ１７は、最上段のおもりブロック１４を吊り上げる。この際、最上段のおもりブロック１４は、一端部の側がより上方となるように斜めに吊り上げられる。その後、最上段のおもりブロック１４がおもり枠１３から取り外される。
【００４６】
これらの手順が、複数のおもりブロック１４に対して順々に行われる。その結果、全てのおもりブロック１４がおもり枠１３から取り外される。
【００４７】
以上で説明した実施の形態１によれば、可動把持部２６がねじ体２２により最上段のおもりブロック１４に近づく方向に移動されることで、固定挿入部２５および可動挿入部２７がおもりブロック１４の下方に挿入される。このため、エレベーターのおもりブロック１４を容易に持ち上げることができる。
【００４８】
また、可動把持部２６は、本体部１９に設けられた切り欠き部に沿って移動する。このため、おもりブロック１４に合わせて自在に可動把持部２６を配置することができる。
【００４９】
また、本体部１９は、持ち手２３を備える。このため、ねじ体２２を安定してねじ込むことができる。
【００５０】
また、本体部１９は、一対のフック部２１を備える。吊りロープ１７は、一対のフック部２１のそれぞれに取り付けられる。このため、おもりブロック１４を安定して吊るすことができる。
【００５１】
また、ねじ体２２は、電動ドライバーの回転軸に接続される。ねじ体２２は、電動ドライバーによりねじ込まれる。このため、作業員は、可動挿入部２７をおもりブロック１４の下に容易に挿入させることができる。
【００５２】
また、おもりブロック運搬治具１８は、固定把持部緩衝体２４ａと可動把持部緩衝体２６ａとを備える。固定把持部緩衝体２４ａと可動把持部緩衝体２６ａとは、弾性変形した状態でおもりブロック１４を把持する。このため、おもりブロック１４を安定して把持することができる。
【００５３】
なお、おもりブロック運搬治具１８は、おもりブロック１４の一端部の側に寄せて取り付けることができる。このため、おもりブロック１４は、一端部の側がより上方となるように斜めに吊り上げられる。その結果、おもりブロック１４をおもり枠１３からより容易に取り外すことができる。
【００５４】
また、巻上機４が昇降路１の下部に設けられたエレベーターまたは巻上機４が昇降路１の直上に設けられた機械室に設けられたエレベーターに実施の形態１のおもりブロック運搬治具１８を適用してもよい。
【産業上の利用可能性】
【００５５】
以上のように、本開示に係るエレベーターのおもりブロック運搬治具は、エレベーターに利用できる。
【符号の説明】
【００５６】
１  昇降路、  ２  乗場、  ３  乗場扉、  ４  巻上機、  ５  綱車、  ６  そらせ車、  ７  かごガイドレール、  ８  おもりガイドレール、  ９  主ロープ、  １０  かご、  １１  かご扉、  １２  釣合いおもり、  １３  おもり枠、  １４  おもりブロック、  １５  かごバッファー、  １６  おもりバッファー、  １７  吊りロープ、  １８  おもりブロック運搬治具、  １９  本体部、  ２０  ねじこみボス、  ２１  フック部、  ２２  ねじ体、  ２３  持ち手、  ２４  固定把持部、  ２４ａ  固定把持部緩衝体、  ２５  固定挿入部、  ２６  可動把持部、  ２６ａ  可動把持部緩衝体、  ２７  可動挿入部
【要約】
エレベーターのおもりブロックを容易に持ち上げることができるエレベーターのおもりブロック運搬治具を提供する。この発明に係るエレベーターのおもりブロック運搬治具は、エレベーターの最上段のおもりブロックの上面に配置される本体部と、最上段のおもりブロックの一側に配置される固定把持部と、最上段のおもりブロックの下方に向けて水平方向に突き出した楔状の固定挿入部と、本体部に水平方向に移動自在に連結され、最上段のおもりブロックの他側に配置される可動把持部と、最上段のおもりブロックに向けて水平方向に突き出した楔状の可動挿入部と、最上段のおもりブロックの一側から固定挿入部を最上段のおもりブロックの下方に挿入させ、最上段のおもりブロックの他側から可動挿入部を最上段のおもりブロックの下方に挿入させるねじ体と、を備えた。【図１】
0006856182.tif 000002
【図２】
0006856182.tif 000003
【図３】
0006856182.tif 000004
【図４】
0006856182.tif 000005
【図５】
0006856182.tif 000006